(57)【特許請求の範囲】
【請求項１】
収納されている書類等の種類、配布先等の内容物情報が一目で分かるようファイル、ホルダー等の側縁に取り付けて使用する見出し具であって、
ガイド兼表示部と摺動部を備えて構成され、
前記ガイド兼表示部は断面凹状で外底面には凹状幅より僅かに狭い範囲部分を突出させた基底部が形成され、長手方向には長尺に形成され、凹状の内底面には所定間隔おきに前記種類、配布先等の情報が見出しとして複数個表示されており、
前記摺動部は前記ガイド兼表示部の凹状部の開口部を跨いで凹状部の両側縁部を外側から抱え込む断面形状に形成され、長手方向には前記見出しの表示間隔より僅かに長尺に形成され、前記開口部を跨いでいる部分には前記見出しを視認できる開口窓が形成されており、
前記基底部を前記ファイル、ホルダー等の側縁に接着して見出し具を固定した状態で前記摺動部を前記ガイド兼表示部にガイドされた状態で摺動させて所望の見出し位置にて静止させられるように構成してあることを特徴とする見出し具。
【請求項２】
請求項１に記載の見出し具において、前記摺動部における前記ガイド兼表示部の両側縁部を外側から抱え込む部分には、ガイド兼表示部の外側面を視認できる開口窓が形成してあることを特徴とする見出し具。
【請求項３】
請求項１又は２に記載の見出し具において、摺動部における前記ガイド兼表示部の両側縁部を外側から抱え込む部分の内側には半球状突起が１個形成されており、該半球状突起が当接する前記ガイド兼表示部の表面には、該半球状突起を受け入れて摺動部を係止させる凹状穴が前記見出しの表示間隔に等しい間隔で形成してあることを特徴とする見出し具。
【請求項４】
請求項１乃至３に記載の見出し具において、前記摺動部は弾性を有する合成樹脂で形成され、前記ガイド兼表示部の開口部を跨いでいる部分は外方に向けて僅かに湾曲した形状に構成してあることを特徴とする見出し具。
【請求項５】
請求項１乃至４に記載の見出し具において、前記ガイド兼表示部の凹状部の幅より広く、同じ長さの取付板を、前記ガイド兼表示部の基底部が該取付板の側縁に沿って位置するように取り付け、該取付板でもって見出し具を前記ファイル、ホルダー等の側縁表面に取りつけるように構成してあることを特徴とする見出し具。
【請求項６】
収納されている書類等の種類、配布先等の内容物情報が一目で分かるようファイル、ホルダー等の側縁に取り付けて使用する見出し具であって、インデックスとクリップとで構成され、該インデックスは厚紙又は合成樹脂フィルムにて長手方向長尺の矩形に形成され、短手方向１／２幅の片側又は／及びその裏側には前記内容物情報を見出しとして表示するための見出し区画が複数個形成されており、残り１／２幅の片面には粘着剤層がその表面を剥離紙で覆った状態で形成されており、前記クリップは前記インデックスを間に挟んだ状態で係止させておくもので、使用に当たっては収納される可能性のある内容物の情報を前記インデックスの複数の見出し区画に表記した上で、インデックスをファイル、ホルダー等の一辺に突出した状態で貼着し、前記クリップを所望の見出し区画に係止させることにより現在収納されている内容物の情報特定を可能とすることを特徴とする見出し具。
【請求項７】
収納されている書類等の種類、配布先等の内容物情報が一目で分かるようファイル、ホルダー等の側縁に取り付けて使用する見出し具であって、
ファイル、ホルダー等の側縁に固定する固定側部品と該固定側部品に挿入して使用する円柱状回転体とからなり、
前記固定側部品は弾性を有する長方形板材の長手方向一端を前記円柱状回転体の円柱部を挿入できる内径の筒形状に折り曲げ、該筒形状部側面には前記円柱状回転体の表面を視認するための長方形開口窓が筒長手方向に設けられており、
前記円柱状回転体は長さが前記長方形板材の短手方向長さに等しく、円柱状部の一方の端面には前記固定側部品に挿入した際にストッパの役割を果たすフランジ部が形成され、該フランジ部には円柱状回転体を回転させるためのつまみ部が形成されており、円柱状部の表面は周方向を３乃至４分割して見出し区画を設け、該見出し区画には異なる着色及び／又は見出し文字の表記がしてあり、
円柱状回転体を固定側部品に挿入した状態では、固定側部品の弾性力により円柱状回転体の姿勢が維持されるように構成されていることを特徴とする見出し具。
【発明の詳細な説明】
【技術分野】
【０００１】
本発明は書類や資料をまとめて整理、保管しておくファイル、ホルダー、バインダー等に、そこに収納されている書類や資料の種類、用途、期限、回覧先、その他の情報が一目で分かるように取り付けておく見出し具に関する。
【背景技術】
【０００２】
書類、伝票、資料等がバラバラにならないよう整理、保管しておく文房具としてファイル、ホルダー、バインダー等が使用される。書類等はその種類、内容、用途、期限等で分類して別々のファイル、ホルダー等に収納される。ファイル、ホルダー等の数は多いため、保管されている書類の種類等が一目で分かるように見出しが付けられる。こうした見出しとしては、ファイル等の側縁に紙製のインデックスを貼り付けたり、側縁を突出させて見出しとしたりすることが行なわれている。しかし、このような方法では収納物を変えた場合にはインデックスの貼り替え、書き換えが必要となり面倒で手間がかかる。また側縁を突出させる方法では見出し位置を変更できない問題もある。
【０００３】
別の方法として例えば、特許文献１には、合成樹脂製のインデクス部材の片面端部上下方向に連続的な凸部又は凹部を設け、これに嵌合して摺動する凹部又は凸部を設けた合成樹脂製インデクスを取り付けたインデクス取付構造が開示されている。特許文献２にはファイルの見出し取り付け端部にレール状の凹凸を有するストリップ部材を取り付け、その凹凸部に嵌合してスライドする凹凸を有する見出し部を取り付けたファイルが開示されている。更に特許文献３、４にもこれらに類似の提案が開示されている。しかし、これら何れの場合も、ファイルの収納物を変える場合にはインデクスや見出し部に表示している文字を書き換え、貼り替えで変更したり、変更に備えて複数のインデクスや見出し部を予め準備したりといった手間のかかる問題がある。
【先行技術文献】
【特許文献】
【０００４】
【特許文献１】特開平１０−２１７６６４号公報
【特許文献２】特開２０００−５２６８１号公報
【特許文献３】特開２０１１−１５２７８１号公報
【特許文献４】特開２００９−２９８０５６号公報
【発明の概要】
【発明が解決しようとする課題】
【０００５】
本発明は従来技術のこうした問題点を解決するためになされたもので、その課題はファイル、ホルダー等に、収納してある書類や資料の種類、内容、用途、期限、その他の情報が一目で分かるように取り付けておく見出し具であって、収納する書類や資料の種類等がある程度決まっている場合に、それら種類等の表示を書き換えたり、貼り替えたりすることなく簡単に変更できるファイル、ホルダー等の見出し具を提供することにある。
【課題を解決するための手段】
【０００６】
前記課題を解決するための請求項１に記載の発明は、収納されている書類等の種類、配布先等の内容物情報が一目で分かるようファイル、ホルダー等の側縁に取り付けて使用する見出し具であって、ガイド兼表示部と摺動部を備えて構成され、ガイド兼表示部は断面凹状で外底面には凹状幅より僅かに狭い範囲部分を突出させた基底部が形成され、長手方向には長尺に形成され、凹状の内底面には所定間隔おきに前記内容物情報が見出しとして複数個表示されており、摺動部はガイド兼表示部の凹状部の開口部を跨いで凹状部の両側縁部を外側から抱え込む断面形状に形成され、長手方向には前記見出しの表示間隔より僅かに長尺に形成され、開口部を跨いでいる部分には前記見出しを視認できる開口窓が形成されており、前記基底部をファイル、ホルダー等の側縁に接着して見出し具を固定した状態で摺動部をガイド兼表示部にガイドされた状態で摺動させて所望の見出し位置にて静止させられるように構成してあることを特徴とする見出し具である。
【０００７】
このような構成によれば、ガイド兼表示部に予め必要な複数個の見出しが設けているので収納物を変更した際は、それら複数の見出しの中から該当する見出しを選択し、摺動部の開口窓に選択した見出しが表示される位置まで摺動部を摺動させるだけでよい。見出しを書き換えたり、貼り替えたり、または複数種類の見出しを予め準備しておいて取り替えたりする必要がないため短時間で簡単に見出しを変えられる利点を有する。摺動部の静止位置の維持にはガイド兼表示部との間の摩擦を利用してもよいし、請求項３のような構造としてもよい。
【０００８】
また、請求項２に記載の発明は、請求項１に記載の見出し具において、前記摺動部におけるガイド兼表示部の両側縁部を外側から抱え込む部分には、ガイド兼表示部の外側面を視認できる開口窓が形成してあることを特徴とする見出し具である。
【０００９】
このような構成とし、見出しに対応してガイド兼表示部の両側縁部の色を変えておけば、見出しの文字を読まなくても開口窓に現れている色で選択されている見出しを知ることができる。ファイルが何冊も重ねて保管してある場合に便利である。
【００１０】
また、請求項３に記載の発明は、請求項１又は２に記載の見出し具において、摺動部におけるガイド兼表示部の両側縁部を外側から抱え込む部分の内側には半球状突起が１個形成されており、該半球状突起が当接するガイド兼表示部の表面には、該半球状突起を受け入れて摺動部を係止させる凹状穴が見出しの表示間隔に等しい間隔で形成してあることを特徴とする見出し具である。
【００１１】
このような構成によれば、ファイルの移動、使用等の際に摺動部が移動するのを防止することかできる。
【００１２】
また、請求項４に記載の発明は、請求項１乃至３に記載の見出し具において、摺動部は弾性を有する合成樹脂で形成され、ガイド兼表示部の開口部を跨いでいる部分は外方に向けて僅かに湾曲した形状に構成してあることを特徴とする見出し具である。
【００１３】
このような形状にしてあると上から押し下げた場合に合成樹脂製の摺動部が弾性変形し、係合機構を形成している半球状突起が凹状穴から若干、浮き上がって外れやすくなる。このため一つの係止位置から他の係止位置に摺動部を摺動移動させる操作が容易になる利点がある。
【００１４】
また、請求項５に記載の発明は、請求項１乃至４に記載の見出し具において、前記ガイド兼表示部の凹状部の幅より広く、同じ長さの取付板を、ガイド兼表示部の基底部が該取付板の側縁に沿って位置するように取り付け、該取付板でもって見出し具をファイル、ホルダー等の側縁表面に取りつけるように構成してあることを特徴とする見出し具である。
【００１５】
このような構成として取り付ければ、見出し具がファイル等の側縁からはみ出した状態となるため見出しを視認しやすくなる。
【００１６】
また、請求項６に記載の発明は、収納されている書類等の種類、配布先等の内容物情報が一目で分かるようファイル、ホルダー等の側縁に取り付けて使用する見出し具であって、インデックスとクリップとで構成され、該インデックスは厚紙又は合成樹脂フィルムにて長手方向長尺の矩形に形成され、短手方向１／２幅の片側又は／及びその裏側には前記種類、配布先等の情報を見出しとして表示するための見出し区画が複数個形成されており、残り１／２幅の片面には粘着剤層がその表面を剥離紙で覆った状態で形成されており、前記クリップはインデックスを間に挟んだ状態で係止させておくもので、使用に当たっては収納される可能性のある内容物の情報をインデックスの複数の見出し区画に表記した上で、インデックスをファイル、ホルダー等の一辺に突出した状態で貼着し、前記クリップを所望の見出し区画に係止させることにより現在収納されている内容物の情報特定を可能とすることを特徴とする見出し具である。
【００１７】
このような構成によれば、ファイル、ホルダー等の一辺から突出してインデックスを取りつけることができ、そのインデックスには複数個の見出し区画が設けてあるのでその見出し区画に予め必要な複数個の見出しを印刷、手書き等で設けておくことができる。そして、それら複数の見出しの中から該当する見出しを選択し、その見出し区画にクリップを係止させるだけで現在収納されている内容物の情報を特定して表示させることができる。
【００１８】
また、請求項７に記載の発明は、収納されている書類等の種類、配布先等の内容物情報が一目で分かるようファイル、ホルダー等の側縁に取り付けて使用する見出し具であって、ファイル、ホルダー等の側縁に固定する固定側部品と該固定側部品に挿入して使用する円柱状回転体とからなり、固定側部品は弾性を有する長方形板材の長手方向一端を円柱状回転体の円柱部を挿入できる内径の筒形状に折り曲げ、該筒形状部側面には円柱状回転体の表面を視認するための長方形開口窓が筒長手方向に設けられており、円柱状回転体は長さが長方形板材の短手方向長さに等しく、円柱状部の一方の端面には固定側部品に挿入した際にストッパの役割を果たすフランジ部が形成され、該フランジ部には円柱状回転体を回転させるためのつまみ部が形成されており、円柱状部の表面は周方向を３乃至４分割して見出し区画を設け、該見出し区画には異なる着色及び／又は見出し文字の表記がしてあり、円柱状回転体を固定側部品に挿入した状態では、固定側部品の弾性力により円柱状回転体の姿勢が維持されるように構成されていることを特徴とする見出し具である。
【００１９】
このような構成によれば、円柱状回転体の見出し区画に表示されている内容物の情報見出しの中から該当するものを選択し、その見出し区画が開口窓から視認できるように回転調整しておくだけで収納されている内容物を判別可能にしておくことができる。見出し区画は複数設けられ、収納される可能性のある内容物の種類、配布先等の情報見出しが複数表示されているので、内容物を変える度にインデックスを貼り替えたり、書き替えたりする必要のない利点を有する。
【図面の簡単な説明】
【００２０】
【図１】第１の実施形態に係る見出し具１をファイル２の側縁に取り付けた状態の外観斜視図である。
【図２】見出し具１の全体斜視図である。
【図３】見出し具１の分解斜視図である。
【図４】見出し具１の正面図である。
【図５】見出しの表示例である。
【図６】摺動部４で見出しを選択表示している例である。
【図７】図４のＡ−Ａ線に沿った断面図である。
【図８】表面側部材を僅かに凸状にした摺動部４の例である。
【図９】半球状突起１２の凹状穴１３からの浮き上がり説明図である。
【図１０】取付板５を無くしてファイル２に貼りつけた例である。
【図１１】第２の実施形態に係る見出し具２０の外形図である。
【図１２】インデックス２１をファイル２８に貼りつけた外観図である。
【図１３】クリップ２２をインデックス２１の見出し区画２４に取りつけた状態図である。
【図１４】第３の実施形態に係る見出し具３０の外観図である。
【図１５】見出し具３０の分解斜視図である。
【図１６】見出し具３０をファイル３１の側縁に取り付けた状態の部分斜視図である。
【発明を実施するための形態】
【００２１】
以下、本発明に係るファイル、ホルダー等の見出し具の実施形態を形態別に図面を参照して説明する。
（第１の実施形態）
図１は本実施形態の見出し具１をファイル２の側縁に取り付けた状態の外観斜視図、図２は見出し具１の全体斜視図、図３は見出し具１の分解斜視図、図４は見出し具１の正面図である。見出し具１は図３の分解斜視図に示すように、ガイド兼表示部３と摺動部４と取付板５を備えて構成されている。
【００２２】
ガイド兼表示部３は図３に示すように、全体として鉄道線路の軌道に似た形状に合成樹脂で形成されている。その断面は凹状で、両側縁部には鉄道線路に似た突起部が線状に形成されている。凹状の外底面には凹状幅より僅かに狭い範囲部分を外方に向けて一様に突出させた基底部７が形成されている。長手方向は取り付けるファイル等の側縁長さの１／２程度の長尺に形成してある。凹状の内底面８、即ち、両側突起部の間の内底面８は表示部である。この部分にはファイル収納物の種類、配布先等、可能性のある用途に応じた見出し情報を見出しとして所定間隔おきに複数個記載しておく。記載は、複数の見出しを印刷した紙を貼りつけたり、間隔線のみを印刷した紙を貼りつけておいて後で必要な見出しを手書きで書き加えたりして行なう。図５はその一例で、他の課に配布する書類を収納するファイルである場合に、可能性ある配布先課名を予め複数表示させた例である。
【００２３】
摺動部４は、図２に示すようにガイド兼表示部３にガイドされてガイド兼表示部３上を摺動、停止させる部品である。図６の（１）、（２）の例に示すように、採用する見出しの上に係止させておく。その断面形状は図２、図３に示すように、ガイド兼表示部３の凹状部の開口部を跨ぎ、凹状部の両側縁部を外側から抱え込む形にされている。長手方向はガイド兼表示部３の見出し表示間隔より僅かに長尺に形成してある。ガイド兼表示部３の開口部を跨ぐ部分には、ガイド兼表示部３の見出しを視認できる開口窓９が形成されている。更に、ガイド兼表示部３の両側縁部を抱え込む部分には、ガイド兼表示部３の外側面を視認できる第２の開口窓１０が形成してある。この開口窓１０は、その部分のガイド兼表示部３の色を視認するためのものである。表示する見出しに対応してその部分の色を変えておけば、見出しの文字を読まなくても選択されている見出しを知ることができる。ファイルが何冊も重ねて保管してある場合に便利である。
【００２４】
摺動部４は弾性を有する合成樹脂で製作し、ガイド兼表示部３の凹状部を両側から締めつけるように形成しておくとよい。そうすれば摩擦により停止させた位置に係止させておくことができる。本実施形態では停止位置に確実に静止させておくため、摺動部４とガイド兼表示部３との間に係合機構が設けてある。図７は図４におけるＡ−Ａ線に沿った断面図である。係合機構として、摺動部４におけるガイド兼表示部３の両側縁部を外側から抱え込む部分の内側に半球状突起１２が１個形成してあり、この半球状突起１２が当接するガイド兼表示部３の凹状部の背面部分には該半球状突起１２を受け入れて摺動部４を係止させる凹状穴１３が形成してある。その凹状穴１３はガイド兼表示部３の見出し間隔に等しい間隔で、見出し個数に等しい数だけ設けてある。その位置は、半球状突起１２が凹状穴１３の一つに係合した状態では摺動部４の開口窓９の中心に選択された見出しが表示される位置にしてある。
【００２５】
ガイド兼表示部３の凹状の外底面側に突出形成した基底部７には、見出し具１全体をファイル等の側縁に固定するための取付板５が取り付けてある。ガイド兼表示部３は図２、図４に示すように、取付板５の一方の側縁に沿って取り付けてある。この取付板５の表面側に接着剤をつけて、見出し具１を図１に示すようにファイル２に取り付ける。取付板５の表面側に接着剤を付けて貼りつける代わりに、裏面側に接着剤を付けて貼りつけてもよい。
【００２６】
以上説明した本実施形態のファイル、ホルダー等の見出し具１では、ガイド兼表示部３に予め必要な複数個の見出しが設けてある。このため収納物を変更した際は、それら複数の見出しの中から採用する見出しを選択し、摺動部４の開口窓９に選択した見出しが表示される位置まで摺動部４を摺動させ、係合機構で係合、停止させるだけでよい。従来の見出し具、見出し装置のように収納物が変わるたびに、見出しを書き換えたり、貼り替えたり、または複数種類の見出しを予め準備しておいて取り替えたりする必要がなく、短時間で簡単に見出しを変えられる利点を有する。
【００２７】
以上説明した第１の実施形態のファイル、ホルダー等の見出し具１は、次のように変形して実施してもよい。
（その１）前述の見出し具１では図７の断面図に示すように、摺動部４の表面側部材はガイド兼表示部３の内底面８に平行に形成してあった。この表面側部材を図８に示すように外向きに僅かに凸状に形成してもよい。このような形状にしてあると、図９に示すように矢印のように上から押し下げた場合に合成樹脂製の摺動部４が弾性変形し、係合機構を形成している半球状突起１２が凹状穴１３から若干、浮き上がって外れやすくなる。従って、一つの係止位置から他の係止位置に摺動部４を摺動移動させる操作が容易になる利点がある。
【００２８】
（その２）前述の見出し具１ではガイド兼表示部３の基底部７に取り付けた取付板５でもってファイル２に固定したが、取付板５を無くし、図１０に示すように基底部７の裏面でファイル２に貼りつけてもよい。この方法では見出し具１はファイル２からはみ出ない。
【００２９】
（第２の実施形態）
本実施形態の見出し具２０は第１の実施形態で使用した摺動部材に代えて、取付け、取り外しを自由に行なえるクリップを採用した見出し具である。見出し具２０は図１１の（１）に平面図で示すインデックス２１とクリップ２２とで構成される。インデックス２１は厚紙又は合成樹脂フィルムを長手方向長尺の矩形に形成したもので、短手方向１／２幅の片側又は／及びその裏側にはそのファイル、ホルダー等に収納されている内容物の種類、配布先等の情報を見出しとして表示するための線で仕切った見出し区画２４が長手方向に複数個形成されている。見出し区画２４が設けられていない残り１／２幅２５の片面には、図１１の（２）の断面図に示すように粘着剤層２６が形成され、使用前には剥離紙２７で覆ってある。インデックス２１の複数の見出し区画２４には、そのファイル、ホルダー等に収納される可能性のある内容物の種類、配布先等の情報見出しを記入しておく。その記入は、手書きで記入したり、印刷したり、印刷した別の用紙を貼りつけたりして行なう。
【００３０】
この見出し具２０を一例としてファイルの見出し具として使用する際は、図１２に示すように剥離紙２７を剥がし、ファイル２８の一辺に側縁からはみ出す形でインデックス２１を貼りつける。インデックス２１を取り付けたファイル２８に内容物を収納したならば、クリップ２２をその内容物を表示する見出し区画２４に図１３の（１）の平面図、図１３の（２）のＡ−Ａ線断面図に示すように取りつける。クリップ２２はインデックス２１を間に挟んだ状態で係止させておくもので、僅かな外力では外れたり移動したりしないものを使用する。一般に紙クリップを呼ばれているものを使用できる。
【００３１】
このような見出し具２０を使用すれば、インデックス２１の見出し区画２４に表示されている内容物の情報見出しの中から該当するものを選択し、その見出し区画２４にクリップ２２を取り付けるだけの簡単な操作で収納されている内容物を判別可能にすることができる。見出し区画２４は複数設けられ、収納される可能性のある内容物の種類、配布先等の情報見出しが複数表示されているので、内容物を変える度にインデックスを貼り替えたり、書き替えたりする必要のない利点を有する。
【００３２】
（第３の実施形態）
図１４は本実施形態の見出し具３０の外観図、図１５はその分解斜視図、図１６は見出し具３０をファイル３１の側縁に取り付けた状態の部分斜視図である。見出し具３０は固定側部品３１と円柱状回転体３２とで構成される。固定側部品３２はファイル３１の側縁に貼りつけ固定する部品で、弾性を有する合成樹脂製の長方形板材３２ａの長手方向一端側を円柱状回転体３２を挿入できる内径の筒形状に折り曲げたものである。該筒形状部３２ｂの側面には、筒形状部３２ｂに挿入した円柱状回転体３２の表面を視認するための長方形開口窓３２ｃが筒長手方向に設けてある。長方形開口窓３２ｃは長方形板材３２ａの平面部に対して約４５度傾いた方向に向いており、筒形状の周方向約１／４の部分が開口されている。
【００３３】
円柱状回転体３３は円柱状で長さは長方形板材３２ａの短手方向長さに等しく、円柱状部３３ａの一方の端面には固定側部品３１に挿入した際にストッパの役割を果たすフランジ部３３ｂが形成され、該フランジ部３３ｂには円柱状回転体３３を手で回転させるためのつまみ部３３ｃが形成してある。円柱状部３３ａの表面は周方向を３乃至４分割して見出し区画３３ｄが３乃至４個設けてある。該見出し区画３３ｄにはファイル３１に収納されている書類等の種類を識別するための異なる着色を施したり、見出し文字を表記したりしておく。
【００３４】
見出し具３０は図１６に示すようにファイル３１の側縁に固定側部品３１を貼りつけて取りつける。その状態で円柱状回転体３３を固定側部品３１の筒形状部３２ｂに挿入し、つまみ部３３ｃで回転させてファイル３１に収納されている書類等の種類を識別する着色がされた見出し区画３３ｄ、あるいは情報見出し文字が表記された見出し区画３３ｄが開口窓３２ｃから視認できるように調整する。固定側部品３１は弾性を有する板材３２ａで形成されているため、円柱状回転体３３は筒形状部３２ｂの弾性力で締めつけられた状態となって調整された姿勢が維持される。
【００３５】
このような見出し具３０を使用すれば、円柱状回転体３３の見出し区画３３ｄに表示されている内容物の情報見出しの中から該当するものを選択し、その見出し区画３３ｄが開口窓３２ｃから視認できるように回転調整する簡単な操作で収納されている内容物を判別可能にしておくことができる。見出し区画３３ｄは複数設けられ、収納される可能性のある内容物の種類、配布先等の情報見出しが複数表示されているので、内容物を変える度にインデックスを貼り替えたり、書き替えたりする必要のない利点を有する。
【符号の説明】
【００３６】
図面中、１、２０、３０は見出し具、２、２８、３１はファイル、３はガイド兼表示部、４は摺動部、５は取付板、７は基底部、８は内底面、９は開口窓、１０は開口窓、１２は半球状突起、１３は凹状穴、２１はインデックス、２２はクリップ、２４は見出し区画、２６は粘着剤層、２７は剥離紙、３１は固定側部品、３２は円柱状回転体、３２ａは長方形板材、３２ｂは筒形状部、３２ｃは開口窓、３３ａは円柱状部、３３ｂはフランジ部、３３ｃはつまみ部を示す。
【図１】
0006502243.tif 000002
【図２】
0006502243.tif 000003
【図３】
0006502243.tif 000004
【図４】
0006502243.tif 000005
【図５】
0006502243.tif 000006
【図６】
0006502243.tif 000007
【図７】
0006502243.tif 000008
【図８】
0006502243.tif 000009
【図９】
0006502243.tif 000010
【図１０】
0006502243.tif 000011
【図１１】
0006502243.tif 000012
【図１２】
0006502243.tif 000013
【図１３】
0006502243.tif 000014
【図１４】
0006502243.tif 000015
【図１５】
0006502243.tif 000016
【図１６】
0006502243.tif 000017